(57)【要約】【課題】地震時の横揺れに対して良好かつ安定的に対応する。【解決手段】エキスパンションジョイントカバーの両側の側面ジョイントカバー３の上下方向の端部に設けられた側部コーナーカバー４と、側部コーナーカバー４間の間隙を覆う蓋カバー５とを備え、蓋カバー５は、第２の壁体２と第１の壁体１との間に設けられたブラケット６に取り付けられ、ブラケット６の第２の壁体側は、第２の壁体の上下方向の端面に略水平方向に回動自在に取り付けられたスライドプレート７に摺動自在に取り付けられ、第１の壁体１側の端部は壁面に略水平方向に回動可能に取り付けられていることを特徴とする。【選択図】図１
2014202035.tif 000002
【特許請求の範囲】
【請求項１】
第１の壁体と、第１の壁体の壁面と直交するように対峙してコーナー部を形成する第２の壁体との間隙に、第２の壁体の端部両側と第１の壁体の壁面との間を連結する側面ジョイントカバーを備えたエキスパンションジョイントカバーを設け、このエキスパンションジョイントカバーの上下方向の端部間の間隙を覆うように設けられた直交壁体間のカバー構造であって、
上記両側の側面ジョイントカバーの上下方向の端部に設けられた側部コーナーカバーと、上記側部コーナーカバー間の間隙を覆う蓋カバーとを備え、
上記蓋カバーは、上記第２の壁体と第１の壁体との間に設けられたブラケットに取り付けられ、当該ブラケットの第２の壁体側は、上記第２の壁体の上下方向の端面に略水平方向に回動自在に取り付けられたスライドプレートに摺動自在に取り付けられ、第１の壁体側の端部は壁面に略水平方向に回動可能に取り付けられている
ことを特徴とする直交壁体間のカバー構造。
【請求項２】
上記第２の壁体が立ち上がり壁又は下がり壁であることを特徴とする、請求項１に記載の直交壁体間のカバー構造。
【請求項３】
上記ブラケットの第１の壁体側には、上記第１の壁体の壁面に平行に設けられた側面ブラケットと、上記第１の壁体に固定されたベース部材と、上記側面ブラケットとベース部材とを回動可能に連結するとともに、弾性体により上記側面ブラケットとベース部材とを常時閉じ方向に付勢したことを特徴とする、請求項１又は２に記載の直交壁体間のカバー構造。
【請求項４】
上記ブラケットには、第１の壁体側と第２の壁体側との間隙を覆うブラケット本体が設けられ、このブラケット本体には長手方向に沿ってスライドレールが設けられ、このスライドレールにはスライドプレートがスライド可能に取り付けられ、スライドプレートは第２の壁体の上下方向の端面に略水平方向に回動自在に取り付けられていることを特徴とする、請求項１〜３のいずれかに記載の直交壁体間のカバー構造。
【請求項５】
上記ブラケット本体の第１の壁体側の端部には差込み部材が差し込み固定され、上記側面ブラケットは上記差込み部材に固定されていることを特徴とする請求項１〜４のいずれかに記載の直交壁体間のカバー構造。
【請求項６】
上記蓋カバーは、上記ブラケットに固定され、上記側部コーナーカバーは、上記エキスパンションジョイントカバーの上下方向の端面に固定されているとともに、上記蓋カバーの両側面と、上記側部コーナーカバーの側面は面一に設けられていることを特徴とする、請求項１〜５のいずれかに記載の直交壁体間のカバー構造。
【請求項７】
上記蓋カバーの第１の壁体側の両側面には蝶番を介して可動カバーが設けられ、上記可動カバーの先端は上記第１の壁体の壁面に当接していることを特徴とする、請求項１〜６のいずれかに記載の直交壁体間のカバー構造。
【請求項８】
上記蓋カバーの両端は緩衝材を介して上記第１の壁体と第２の壁体に当接していることを特徴とする、請求項１〜７のいずれかに記載の直交壁体間のカバー構造。
【発明の詳細な説明】
【技術分野】
【０００１】
本発明は、第１の壁体と、第１の壁体の壁面と直交するように対峙してコーナー部を形成する第２の壁体との間隙の両側部にエキスパンションジョイントカバーを設け、このエキスパンションジョイントカバーの上下方向の端部間の間隙を覆うように設けられた直交壁体間のカバー構造に関する。
【背景技術】
【０００２】
例えば、相対する手摺壁が形成されている建物にあって、手摺壁間の目地間隙の上部を覆う構造で、左右方向及び前後方向の相対変位に追従させることができる手摺壁の可動カバー構造として、次に示す特許文献１に示されるような技術が知られている。なお、符号は特許文献１に示されたものである。
【０００３】
これは、異なる前後左右方向の揺れ動きを吸収することができるとともに、自動的に元の状態に復元するもので、壁用目地装置が設けられた部位の一方の目地部側のパラペット（手摺壁）４の上部に取付部が固定され、取付部の上部より突出する支持部の先端部が他方の目地部側のパラペット４上に位置する支持バー１１と、支持バー１１の支持部に固定された壁用目地装置の上部を覆う固定受皿１４と、一方の目地部側のパラペット４の上部を覆うように固定された支持体１５と、固定受皿１４の上部および壁用目地装置の上部の外側部を覆う可動受皿１７と、支持体１５の目地部側の内側部に先端部が略水平に回動するように枢支された可動受皿１７の上部および目地部の内側部を覆う可動カバー２０とによって構成されているものである。
【０００４】
地震等によって目地部が伸縮するように揺れ動いた場合には、一方のパラペット４に取付けられている支持バー１１、固定受皿１４、可動受皿１７および可動カバー２０が重なり合った状態で他方のパラペット４上をスライド移動して、その揺れ動きを吸収する。
【０００５】
また、左右のパラペット４、４が異なる前後方向に揺れ動いた場合には、可動受皿１７が外側付勢機構１８の付勢力に抗して先端部が外方へ回動して、その揺れ動きを吸収し、揺れ動きが停止すると外側付勢機構１８の付勢力によって、自動的に元の状態に戻る。また、可動カバー２０が内側付勢機構２１の付勢力に抗して先端部が内方へ回動して、その揺れ動きを吸収し、揺れ動きが停止すると内側付勢機構２１の付勢力によって、自動的に元の状態に戻るようになっている。
【先行技術文献】
【特許文献】
【０００６】
【特許文献１】特開２００２−３６４０８５号公報
【発明の概要】
【発明が解決しようとする課題】
【０００７】
しかしながら、このようにパラペット４上に位置する支持バー１１と、壁用目地装置の上部を覆う固定受皿１４と、一方の目地部側のパラペット４の上部を覆うように固定された支持体１５と、固定受皿１４の上部の外側部を覆う可動受皿１７と、可動受皿１７の上部および目地部の内側部を覆う可動カバー２０とからなる構成では、構造が複雑なので、コストが高くなる。また、地震等によってパラペットが相対的に移動したとき、可動受皿１７と可動カバー２０とが異なる方向に動くことになるので、全体の動きも複雑になり、震動に対して安定的に作動するか疑問がある。
【０００８】
このことは、一方が壁躯体の壁面、他方が手摺壁、パラペット等の立ち上がり壁で、壁躯体の壁面に対して立ち上がり壁が直交状態で対峙する場合も同様である。また、他方の壁体が立ち上がり壁だけでなく、床躯体の端部等から垂下する下がり壁についても同様の問題がある。
【０００９】
本発明は上記問題点を解消し、互いに間隙を置いて直交する壁体間に取り付けられたエキスパンションジョイントカバーの上部又は下部に取り付けられ、地震時の横揺れに対しても、良好かつ安定的に対応することができる直交壁体間のカバー構造を提供することをその課題とする。
【課題を解決するための手段】
【００１０】
上記課題を解決するため、請求項１に係る発明は、第１の壁体と、第１の壁体の壁面と直交するように対峙してコーナー部を形成する第２の壁体との間隙に、第２の壁体の端部両側と第１の壁体の壁面との間を連結する側面ジョイントカバーを備えたエキスパンションジョイントカバーを設け、このエキスパンションジョイントカバーの上下方向の端部間の間隙を覆うように設けられた直交壁体間のカバー構造であって、上記両側の側面ジョイントカバーの上下方向の端部に設けられた側部コーナーカバーと、上記側部コーナーカバー間の間隙を覆う蓋カバーとを備え、上記蓋カバーは、上記第２の壁体と第１の壁体との間に設けられたブラケットに取り付けられ、当該ブラケットの第２の壁体側は、上記第２の壁体の上下方向の端面に略水平方向に回動自在に取り付けられたスライドプレートに摺動自在に取り付けられ、第１の壁体側の端部は壁面に略水平方向に回動可能に取り付けられていることを特徴とする。
【００１１】
請求項２に係る発明は、請求項１において、上記第２の壁体が立ち上がり壁又は下がり壁であることを特徴とする。
【００１２】
請求項３に係る発明は、請求項１又は２において、上記ブラケットの第１の壁体側には、上記第１の壁体の壁面に平行に設けられた側面ブラケットと、上記第１の壁体に固定されたベース部材と、上記側面ブラケットとベース部材とを回動可能に連結するとともに、弾性体により上記側面ブラケットとベース部材とを常時閉じ方向に付勢したことを特徴とする。
【００１３】
請求項４に係る発明は請求項１〜３のいずれかにおいて、上記ブラケットには、第１の壁体側と第２の壁体側との間隙を覆うブラケット本体が設けられ、このブラケット本体には長手方向に沿ってスライドレールが設けられ、このスライドレールにはスライドプレートがスライド可能に取り付けられ、スライドプレートは第２の壁体の上下方向の端面に略水平方向に回動自在に取り付けられていることを特徴とする。
【００１４】
請求項５に係る発明は、請求項１〜４のいずれかにおいて、上記ブラケット本体の第１の壁体側の端部には差込み部材が差し込み固定され、上記側面ブラケットは上記差込み部材に固定されていることを特徴とする。
【００１５】
請求項６に係る発明は、請求項１〜５のいずれかにおいて、上記蓋カバーは、上記ブラケットに固定され、上記側部コーナーカバーは、上記エキスパンションジョイントカバーの上下方向の端面に固定されているとともに、上記蓋カバーの両側面と、上記側部コーナーカバーの側面は面一に設けられていることを特徴とする。
【００１６】
請求項７に係る発明は、請求項１〜６のいずれかにおいて、上記蓋カバーの第１の壁体側の両側面には蝶番を介して可動カバーが設けられ、上記可動カバーの先端は上記第１の壁体の壁面に当接していることを特徴とする。
【００１７】
請求項８に係る発明は、請求項１〜７のいずれかにおいて、上記蓋カバーの両端は緩衝材を介して上記第１の壁体と第２の壁体に当接していることを特徴とする。
【発明の効果】
【００１８】
請求項１に係る発明によれば、直交壁体間のカバー構造は、両側の側面ジョイントカバーの上下方向の端部に設けられた側部コーナーカバーと、上記側部コーナーカバーの上部を覆う蓋カバーとから構成され、側部コーナーカバーはエキスパンションジョイントカバーの側面ジョイントカバーの上下方向の端部に設けられているので、地震による震動時の変位にも互いに干渉しないとともに、蓋カバーも円滑に対応作動することができる。しかも、両側の側部コーナーカバーと蓋カバーの３つの部材のみから成るので、構造が簡単であり、低コストで施工することができる。
【００１９】
また、蓋カバーは、第２の壁体と第１の壁体との間に設けられたブラケットに取り付けられ、当該ブラケットの第２の壁体側は、上記第２の壁体の上下方向の端面に略水平方向に回動自在に取り付けられたスライドプレートに摺動自在に取り付けられ、第１の壁体側の端部は壁面に略水平方向に回動可能に取り付けられているので、地震時に横揺れが発生しても、ブラケットが第１の壁体と第２の壁体との間の変位に追従できるので、蓋カバーも良好かつ安定的に対応することができる。また、側部コーナーカバーはエキスパンションジョイントの側面ジョイントカバーに追従して地震による変位に対応することができる。したがって第１の壁体と第２の壁体との間のコーナー部の美観が損なわれることがない。
【００２０】
さらに、第１の壁体と第２の壁体との隙間の上部に開放された空間があると、物が落下する危険、雨水やホコリ等が入り込んで溜まるおそれ等があるが、上記開放空間は側部コーナーカバーと蓋カバーとにより覆われるため、上記のような不都合はない。
【００２１】
請求項２に係る発明によれば、立ち上がり壁の上部又は下がり壁の下部に設けられた直交壁体間のカバー構造は、いずれも同じ効果を期待することができる。
【００２２】
請求項３に係る発明によれば、ブラケットの第１の壁体側には、上記第１の壁体の壁面に平行に設けられた側面ブラケットと、上記大の壁体に固定されたベース部材と、上記側面ブラケットとベース部材とを回動可能に連結するとともに、弾性体により上記側面ブラケットとベース部材とを常時閉じ方向に付勢した構成であるから、側面ブラケットは、弾性体により回動でき、大地震が発生し揺れ動いても、蓋カバーが震動に対して追従することができる。
【００２３】
請求項４に係る発明によれば、ブラケットには、第１の壁体側と第２の壁体側との間隙を覆うブラケット本体が設けられ、ブラケット本体には長手方向に沿ってスライドレールが設けられ、スライドレールにはスライドプレートがスライド可能に取り付けられ、上記スライドプレートは第２の壁体の上下方向の端面に略水平方向に回動自在に取り付けられている構成であるから、地震が発生して第２の壁体が第１の壁体に対して接近し又は離間してもブラケット本体はスライドプレートに沿って摺動するから、接近、離間の変位を効率よく吸収することができる。また、第２の壁体が第１の壁体の壁面に沿って略水平移動した場合は、スライドプレートが回動するとともに、ブラケット本体がスライドプレートに沿って摺動する。したがって、ブラケットとともに蓋カバーは上記変位に対して良好に対応することができる。
【００２４】
請求項５に係る発明によれば、ブラケット本体の第１の壁体側の端部には差込み部材が差し込み固定され、側面ブラケットは上記差込み部材に固定されているから、震動に対してブラケットも確実に追従でき、破損、破壊し難い。
【００２５】
請求項６に係る発明によれば、蓋カバーは、ブラケットに固定され、側部コーナーカバーは、エキスパンションジョイントカバーの上端に固定されているとともに、蓋カバーの両側面と、上記側部コーナーカバーの側面は面一に設けられているから、美観を損ねる事がなく、意匠性が良い。
【００２６】
請求項７に係る発明によれば、蓋カバーの第１の壁体側の両側面には蝶番を介して可動カバーが設けられ、上記可動カバーの先端は上記第１の壁体の壁面に当接し、もう一方は蝶番によって回動するので、震動時のブラケットの揺れ動きを邪魔する恐れがなく、衝突による破損、破壊が生じにくい。
【００２７】
また、可動カバーを、蝶番により蓋カバーの第１の壁体側の両側面へ取り付けている為、確実に風等の外力による意図しない開閉を防ぐ事ができ、その開閉による金属音等の騒音を防止することができる。
【００２８】
請求項８に係る発明によれば、蓋カバーの両端は緩衝材を介して第１の壁体と第２の壁体に当接しているから、震動時に蓋カバーが第１の壁体や第２の壁体を直接に衝突して破損しないように保護することができる。
【図面の簡単な説明】
【００２９】
【図１】壁躯体と立ち上がり壁とによる直交壁体間のカバー構造の一例を示す側面図である。
【図２】図１のＸ−Ｘ線上の断面図である。
【図３】直交壁体間のカバー構造の斜視図である（ブラケットは省略）。
【図４】直交壁体間のブラケットの斜視図である。
【図５】ブラケットの分解斜視図である。
【図６】蓋カバーと側部コーナーカバーの分解斜視図である。
【図７】上記直交壁体間のブラケットの震動時の作動態様説明図である。
【図８】（ａ）（ｂ）は直交壁体間のカバー構造の震動時の作動態様を示す一部拡大断面図である。
【図９】直交壁体間のカバー構造の震動時の作動態様を示す斜視図である（ブラケットは省略）。
【図１０】図９の平面図である（ブラケット図示）。
【図１１】立ち上がり壁間のカバーを含む斜視図である。
【図１２】上記カバーの作動態様説明図である。
【図１３】（ａ）（ｂ）はそれぞれ壁躯体と立ち上がり壁および下がり壁とによる直交壁体間のカバー構造の例を示す側面図であり、（ｃ）（ｄ）はそれぞれ（ａ）（ｂ）の直交壁の関係を示す説明図である。
【図１４】（ａ）（ｂ）は壁躯体と下がり壁とによる直交壁体間のカバー構造の他の例を示す側面図であり、（ｃ）（ｄ）はそれぞれ（ａ）（ｂ）の直交壁の関係を示す説明図である。
【図１５】（ａ）（ｂ）は直交壁体間のカバー構造の他の実施形態を示す斜視図及び作動態様説明図である。
【図１６】（ａ）（ｂ）は直交壁体間のカバー構造のさらに他の実施形態を示す斜視図及び作動態様説明図である。
【発明を実施するための形態】
【００３０】
図１は壁躯体と立ち上がり壁とによる直交壁体間のカバー構造の一例を示す側面図、図２は図１のＸ−Ｘ線上の断面図、図３は直交壁体間のカバー構造の斜視図、図４は直交壁体間のブラケットの斜視図であり、図５はその分解斜視図である。
【００３１】
上記直交壁体間のカバー構造は、建物の壁躯体（第１の壁体）１の壁面と床躯体の端部から立ち上げ形成された立ち上がり壁（第２の壁体）２の端部とが対峙するコーナー部の間隙に、壁躯体１の壁面と立ち上がり壁２の端部両側との間に側面ジョイントカバー３を設けたエキスパンションジョイントカバーＡの上部に取り付けられるとともに、両側の側面ジョイントカバー３の上部に設けられた側部コーナーカバー４と、両側の側部コーナーカバー４の上部を覆う蓋カバー５とから構成されている。なお、エキスパンションジョイントカバーＡは従来手法によって構成された既設のものでよい。もちろん、新規のものでもよい。
【００３２】
蓋カバー５は、壁躯体１と立ち上がり壁２の上面との間に設けられたブラケット６に取り付けられ、図４に示されるように、ブラケット６の立ち上がり壁２側は、立ち上がり壁２の上面に略水平に回動自在に取り付けられたスライドプレート７に摺動自在に取り付けられ、壁躯体１側の端部は壁躯体１の壁面１ａに固定されている。
【００３３】
図５に示されるように、ブラケット６はブラケット本体８と、ブラケット本体８と壁躯体１とを回動可能に連結する連結部６ａと、ブラケット本体８を立ち上がり壁２の上面に摺動自在に取り付ける支持部６ｂとから構成されている。
【００３４】
ブラケット本体８は、両側が内側に突出した突片によるスライドレール１０を備えた断面Ｃ字形の細長板状体で、壁躯体１側と立ち上がり壁２側との間隙を覆うように設けられている。
【００３５】
連結部６ａは、壁躯体１に固定されたベース部材１１と、ベース部材１１に回動可能に取り付けられた回動部材１２と、回動部材１２に回動可能に取り付けられたバネ支持部材１３と、バネ支持部材１３を固定する側面ブラケット１４と、側面ブラケット１４をブラケット本体８に固定する差込み部材１５とから構成され、バネ支持部材１３と回動部材１２及び側面ブラケット１４とはダブルコイルバネ１６を介して常時閉じ方向に付勢されている。
【００３６】
すなわち、ベース部材１１は板状で一端には軸受け部１７が形成され、壁躯体１に固定されている。軸受け部１７の中央は切り欠きされている。この切り欠き部１７ａには回動部材１２が回動可能に取り付けられている。回動部材１２は、中央部がコ字形の凹部２０を有する板状部２１の一端に円軸部２２を、他端に円弧部１８を有するもので、円軸部２２は板状部２１の両側に突出している。
【００３７】
回動部材１２は円弧部１８をベース部材１１の切り欠き部１７ａに嵌め、ベース部材１１と回動部材１２の円弧部１８に共通の軸２３を挿入することにより、ベース部材１１に対して互いに回動できるように構成されている。
【００３８】
次に、回動部材１２の円軸部２２にはバネ支持部材１３が回動可能に連結されている。バネ支持部材１３は受け板１３ａと固定板１３ｂとからなり、受け板１３ａの一端側（点線で示した部分）は固定板１３ｂの裏面へ固定され、受け板１３ａと固定板１３ｂとの境界に段差２４が形成されている。また、段差２４の裏側にはコ字形の係合溝２５が形成され、他端には円弧部２６が形成され、この円弧部２６は回動部材１２の円軸部２２に回動自在に係合している。また、固定板１３ｂは、受け板１３ａよりも上下に突出している長方形の板状部材で、裏面には受け板１３ａを嵌合するスライド溝が形成され、スライド溝へ受け板１３ａの一端側を挿入し、かしめ等で一体に結合固定することでバネ支持部材１３を構成している。固定板１３ｂは、側面ブラケット１４のスライド溝１４ａ内にスライド挿入され、かしめによって固定されている。
【００３９】
次に、回動部材１２とバネ支持部材１３とは弾性体（ダブルコイルバネ１６）のバネ力によって常時両者が閉じ状態になるように付勢されている。すなわち、ダブルコイルバネ１６のコイル部１６ａは回動部材１２の円軸部２２の両側に嵌合し、中央の係合部２８は回動部材１２の凹部２０に係合し、両端のＬ字形係合部２９はバネ支持部材１３の受け板１３ａの係合溝２５に係合している。ダブルコイルバネ１６により、バネ支持部材１３と回動部材１２とは円軸部２２を中心に閉じ状態となるように付勢されている。
【００４０】
このように、側面ブラケット１４のスライド溝１４ａ内にスライド挿入され、かしめによって固定されたバネ支持部材１３と回動部材１２とダブルコイルバネ１６とは、側面ブラケット１４よりも壁躯体１側に設けられている。そして、通常はダブルコイルバネ１６により、バネ支持部材１３と回動部材１２とは円軸部２２を中心に閉じ状態となっているので、側面ブラケット１４も壁躯体１のベース部材１１の表面に当接するように付勢されている。また、回動部材１２とベース部材１１は軸２３を中心に回動可能であるが、回動部材１２とバネ支持部材１３とはダブルコイルバネ１６の作用により互いに閉じ方向に付勢され、自由に回動することができない。なお、弾性体としては、ダブルコイルバネ１６を採用しているので、小型でも十分なバネ強度が得られ、また経時的劣化も小さい。
【００４１】
差込み部材１５はＬ字形に屈曲され、水平片１５ａはブラケット本体８の壁躯体１側の端部に差し込み固定され、側面ブラケット１４は垂直片１５ｂに固定されている。
【００４２】
次に、立ち上がり壁２側の支持部６ｂは、スライドプレート７と、スライドプレート７を支持する支持板３１とから構成されている。スライドプレート７はブラケット本体８のスライドレール１０にスライド可能に取り付けられている。支持板３１は、図１及び図２に示されるように、立ち上がり壁２の上端面に固定され、その一端は立ち上がり壁２の端部から突出している。スライドプレート７の端部と支持板３１の突出部には丸孔３３が形成され、これらの丸孔３３には回転軸３２が遊嵌され、スライドプレート７は略水平にスムーズに回動できるように軸着されている。スライドプレート７を直接に立ち上がり壁２の上面に軸着しないことにより、スライドプレート７が回動したときに立ち上がり壁２が損傷するのを避けることができる。なお、回転軸はボルト、ナットによればよいが、これに限定されない。例えばピンや座金などの回動手段でもよい。スライドプレート７を滑らかに回動させ、回動によって外れないものが望ましい。また、後述の緩衝材３７を取り付ける高さを設けることが望ましい。
【００４３】
ブラケット６は上述のように構成されているから、地震によって生じる横揺れに良好に対応することができる。横揺れは、立ち上がり壁２が壁躯体１の壁面１ａに対して接近、離間方向に移動する直交方向の変位と、立ち上がり壁２が壁躯体１の壁面１ａに沿って平行に移動する平行方向の変位とが複合するものであるが、図７に示されるように、直交方向の変位に対しては、スライドプレート７がブラケット本体８のスライドレール１０に沿って移動することによって吸収される。平行方向の変位に対しては、図８（ａ）及び図１０に示すように、スライドプレート７が回転軸３２を中心に回動するとともに、ブラケット本体８のスライドレール１０に沿って移動し、さらに、ブラケット本体８の連結部６ａ側では、回動部材１２が軸２３を中心に開き作動するので、上記変位に対応することができる。また図８（ｂ）に示す平行方向の変位に対してのブラケット本体８の連結部６ａ側は、バネ支持部材１３と回動部材１２とがダブルコイルバネ１６のバネ力に抗して円軸部２２を中心に開き作動するので、上記変位に対応することができる。なお、図８（ａ）のように、壁躯体１の奥側が開くときは、軸２３を中心に回動し、同図（ｂ）のように壁躯体１の手前側が開くときは、円軸部２２を中心に回動する。
【００４４】
次に、直交壁体間の主たる部分はブラケット６上に設けられ、図１〜図３及び図６に示されるように、両側の側面ジョイントカバー３の上部に設けられた側部コーナーカバー４と、側部コーナーカバー４の上部を覆う蓋カバー５とから構成されている。
【００４５】
側部コーナーカバー４は両側のエキスパンションジョイントカバーＡの側面ジョイントカバー３に適宜手段によって固定されている。
【００４６】
蓋カバー５は、ブラケット６に対して上部からネジ止め固定するカバー本体５ａと、カバー本体５ａの一端に設けられた起立部５ｂとから構成されている。起立部５ｂの両側面には凹溝３４が形成され、凹溝３４には蝶番３５を介して可動カバー３６が開閉自在に取り付けられている。起立部５ｂの先端と可動カバー３６の先端は壁躯体１の壁面１ａに当接している。なお、起立部５ｂは、後述の緩衝材３７を介して当接している。
【００４７】
蓋カバー５のカバー本体５ａはブラケット６を覆い、ブラケット６にネジ３８によって固定されている。また、蓋カバー５の両側下端は側部コーナーカバー４の上端面と当接し、蓋カバー５の両側面と側部コーナーカバー４の側面は面一になるように配置されている。
【００４８】
また、蓋カバー５の先端は壁躯体１の壁面１ａに届かず、両者の間にはゴム等の緩衝材３７が配置されている。なお、蓋カバー５の反対側の端部にも緩衝材３７が配置されている。
【００４９】
直交壁体間のカバー構造は上述のように構成されているから、地震などによって上述のような横揺れによる複合変位が生じた場合、図８（ａ）（ｂ）に示されるように、ブラケット６がその変位に対応して回動する。蓋カバー５はブラケット６のブラケット本体８に取り付けられているので、ブラケット本体８と一体的に動く。このとき、蓋カバー５は壁躯体１の壁面１ａに対して斜めになるが、図８（ａ）（ｂ）、図９及び図１０に示されるように、側面の可動カバー３６は、その先端が側方に摺動し、壁面１ａに当接した状態を維持する。
【００５０】
また、側部コーナーカバー４は、エキスパンションジョイントカバーＡの側面ジョイントカバー３に固定されているから、蓋カバー５とは独立に動く。
【００５１】
上述のように、直交壁体間のカバー構造は両側の側面ジョイントカバー３の上部に設けられた側部コーナーカバー４と、上記側部コーナーカバー４の上部を覆う蓋カバー５とから分割構成されているので、震動時の変位にも互いに干渉しない。したがって、蓋カバー５は円滑に対応作動することができる。しかも側部コーナーカバー４と蓋カバー５の２種類の部材のみから成るので、低コストで施工することができる。
【００５２】
また、蓋カバー５は、立ち上がり壁２と壁躯体１との間に設けられたブラケット６に取り付けられ、ブラケット６の立ち上がり壁２側は、立ち上がり壁２の上面に略水平方向に回動自在に取り付けられたスライドプレート７に摺動自在に取り付けられ、壁躯体１側の端部は壁躯体１の壁面１ａに固定されているので、地震時の横揺れによって立ち上がり壁２と壁躯体１との間に変位が発生しても、ブラケット６が変位に追従できるので、蓋カバー５も良好かつ安定的に対応することができる。また、側部コーナーカバー４はエキスパンションジョイントの側面ジョイントカバー３に追従して地震等による変位に対応することができる。したがって立ち上がり壁２と壁躯体１との間のコーナー部の美観が損なわれることがない。
【００５３】
さらに、直交壁体間のカバー構造は、エキスパンションジョイントカバーＡの上部に連続的かつ一体的に配置されているので、美観を損ねる事がなく、意匠性が良い。また、壁躯体１と立ち上がり壁２との隙間の上部に開放された空間があると、物が落下する危険、雨水やホコリ等が入り込んで溜まるおそれがあるが、上記開放空間は側部コーナーカバー４と蓋カバー５とにより覆われるため、上記のような不都合はない。
【００５４】
また、ダブルコイルバネ１６により回動可能な側面ブラケット１４とベース部材１１とを常時閉じ方向に付勢した構成であるから、側面ブラケット１４は、弾性体及び軸により略水平方向に回動でき、大地震が発生し揺れ動いても、蓋カバー５が横揺れ震動に対して追従することができる。
【００５５】
しかも、スライドレール１０はブラケット本体８の内側面から突出したスライドレール１０によって形成されているから、スライドプレート７のスライド移動をスムーズに案内できる。
【００５６】
また、ブラケット本体８の壁躯体１側の端部には差込み部材１５が差し込み固定され、側面ブラケット１４は上記差込み部材１５に固定されているから、壁躯体１の震動に対してブラケット６も確実に追従でき、破損、破壊し難い。
【００５７】
さらにまた、蓋カバー５の壁躯体１側の両側面には蝶番３５を介して可動カバー３６が設けられ、上記可動カバー３６の先端は上記壁躯体１の壁面１ａに当接し、もう一方は蝶番３５によって回動するので、震動時のブラケット６の揺れ動きを邪魔するおそれがなく、衝突による破損、破壊がし難い。
【００５８】
また、可動カバー３６を、蝶番３５により蓋カバー５の起立部５ｂの壁躯体１側の両側面へ取り付けている為、確実に風等の外力による意図しない開閉を防ぐ事ができ、その開閉による金属音等の騒音を防止することができる。
【００５９】
また、蓋カバー５の両端は緩衝材３７を介して壁躯体１と立ち上がり壁２の上面に当接しているから、震動時に蓋カバー５が壁躯体１や立ち上がり壁２の上面を直接に衝突して破損しないように保護することができる。
【００６０】
側面ブラケット１４にはスライド挿入され、かしめによってバネ支持部材１３を固定し、このバネ支持部材１３を壁躯体１側に設けられたベース部材１１に回動可能に連結する構造であるから、機構自体を大型化することなく震動変位に追従することができる。そして、バネ支持部材１３と回動部材１２とベース部材１１とがＺ字形に配置されている構造なので、動きが滑らかであり、震動による変位に最も効果的に対応することができる。
【００６１】
なお、図１１に示されるように、立ち上がり壁２に別の立ち上がり壁２が間隙をおいて設置され、両立ち上がり壁２、２間を内外壁エキスパンションジョイントカバーＡで覆う構成の場合は、その上部を、公知の内外壁エキスパンションジョイントカバーＢの上部に重合固定された側部カバー４０と、一方の側部カバー４１と上部カバー４２とを一体的に形成された蓋カバー４３とによって覆えばよい。これにより、図１２に示されるように、地震発生時には、側部カバー４０と蓋カバー４３とは内外壁エキスパンションジョイントカバーＢとが共に動くことができるため、震動時の変位にも対応することができる。
【００６２】
なお、上述の実施形態は図１３（ａ）（ｃ）に示されるように、主に第２の壁体２が床躯体２Ａの端部から立ち上がった立ち上がり壁である場合の例であるが、本発明に係る直交壁体のカバー構造は、エキスパンションジョイントカバーの上下方向の端部（端面）、つまり上部（上面）、下部（下面）のいずれか又は双方に設けられるものであって、第２の壁体が立ち上がり壁であるか下がり壁であるかに関係はない。
【００６３】
例えば、同図（ｂ）（ｄ）に示されるように、床躯体２Ａの端部上方に立ち上がり壁２、上記端部下方に下がり壁２´が設けられるような場合であっても、下がり壁２´には、立ち上がり壁２と上下が対称となるだけで全く同じカバー構造を施すことによって対応することができる。上図において上述の実施形態において使用したものと同じ符号は、同じ部材を示すものとする。すなわち、同図（ｂ）（ｄ）に示されるように、第２の壁体は床躯体２Ａの端部上方には立ち上がり壁２、上記端部下方に下がり壁２´が設けられている。立ち上がり壁２の上部に設けられた直交壁体間のカバー構造は既に述べたとおりである。下がり壁２´の下部にも、側面ジョイントカバー３を設けたエキスパンションジョイントカバーＡが延長形成され、その側部コーナーカバー４は両側の側面ジョイントカバー３の下部に設けられ、蓋カバー５は側部コーナーカバー４の下部を覆うカバーであって、上記下がり壁２´の下面と第１の壁体１との間に取り付けられたブラケット６に取り付けられ、ブラケット６の下がり壁２´側は、上記下がり壁２´の下面に略水平に回動自在に取り付けられたスライドプレート（図示せず）に摺動自在に取り付けられる構成となっている。このように、立ち上がり壁の上部のカバー構造における、側部コーナーカバー４、蓋カバー５や、スライドプレート７、ブラケット本体８等のブラケットの構成部材などの立ち上がり壁の上部に設けられていたものと同じ部材（図に表われていないものも含む）が上下対称に使用されている点が異なるにすぎない。
【００６４】
同様に、図１４（ａ）（ｃ）は、第２の壁体２´が天井躯体２Ｂから垂下した下がり壁である場合の直交壁体間のカバー構造を示す実施形態で、第１の壁体１と下がり壁２´との間には側面ジョイントカバー３を設けたエキスパンションジョイントカバーＡが設けられ、第２の壁体２の上部には公知の天井用のエキスパンションジョイントカバーＣが設けられている。これに対し、下がり壁２´の下部にも、側面ジョイントカバー３を設けたエキスパンションジョイントカバーＡが設けられ、その両側の側面ジョイントカバー３の下部に側部コーナーカバー４が設けられ、蓋カバー５は両側の側部コーナーカバー４の下部間の間隙を覆うカバーであって、下がり壁２´の下面と第１の壁体１との間に取り付けられたブラケット６に取り付けられている。ブラケット６の下がり壁２´側は、前述の実施形態と同じ要領で、下がり壁２´の下面に略水平に回動自在に取り付けられたスライドプレート（図示せず）に摺動自在に取り付けられている。この場合も、立ち上がり壁の上部のカバー構造とは、同じ部材が上下が対称に使用されている。したがって、震動への対応作動も全く同じである。
【００６５】
また、図１４（ｂ）（ｄ）は、第２の壁体が屋上の床躯体２Ｃの端部上方に立ち上がり壁２、上記端部から垂下した下がり壁２´が設けられている場合の直交壁体間のカバー構造を示す実施形態で、第１の壁体１と立ち上がり壁２との間には側面ジョイントカバー３を設けたエキスパンションジョイントカバーＡが設けられ、立ち上がり壁２の上部には屋根用のエキスパンションジョイントカバーＤが設けられている。これに対し、下がり壁２´の下部には、側部コーナーカバー４が両側の側面ジョイントカバー３の下部に設けられている。蓋カバー５は側部コーナーカバー４の下部間の間隙を覆うカバーであって、下がり壁２´の下面と第１の壁体１との間に取り付けられたブラケット６に取り付けられ、ブラケット６の下がり壁２´側は、前述の実施形態と同じ要領で、下がり壁２´の下面に略水平に回動自在に取り付けられたスライドプレート（図示せず）に摺動自在に取り付けられる構成となっている。この場合も、立ち上がり壁の上部のカバー構造とは、同じ部材が上下対称に使用されている。
【００６６】
上述のように、下がり壁の下面に直交壁体間のカバー構造を設ける場合であっても、前述のエキスパンションジョイントカバーの上部に設けたカバー構造とは上下対称になるだけであり、効果・機能に変わりはない。
【００６７】
次に、図１５（ａ）は他の実施形態を示すもので、蓋カバー５の壁躯体１側の端部の起立部５ｂには、上述のような可動カバーを設けず、起立部５ｂが直接に壁躯体１の壁面１ａに当接している。ブラケット６は前述の実施形態と同一の為、省略している。蓋カバー５はブラケット本体８と側面ブラケット１４にネジ３８、４４によってネジ止め固定されている。これによれば、地震による変動時には、同図（ｂ）に示されるように、変位を吸収することができる。
【００６８】
また、図１６（ａ）に示されるように、蓋カバー５の起立部５ｂの両側方にエキスパンションジョイントカバーＡの側部コーナーカバー４の端部屈曲部に対応する突出部４５を形成してもよい。同図（ａ）の場合、突出部４５と側部コーナーカバー４の端部屈曲部は面一に設けられているから、美観を損ねることがなく、意匠性がよい。
【符号の説明】
【００６９】
Ａ    エキスパンションジョイントカバー
Ｂ    エキスパンションジョイントカバー
１    壁躯体（第１の壁体）
２    立ち上がり壁（第２の壁体）
３    側面ジョイントカバー
４    側部コーナーカバー
５    蓋カバー
６    ブラケット
７    スライドプレート
８    ブラケット本体
１０  スライドレール
１１  ベース部材
１４  側面ブラケット
１５  差込み部材
３５  蝶番
３７  緩衝材
【図１】
2014202035.tif 000003
【図２】
2014202035.tif 000004
【図３】
2014202035.tif 000005
【図４】
2014202035.tif 000006
【図５】
2014202035.tif 000007
【図６】
2014202035.tif 000008
【図７】
2014202035.tif 000009
【図８】
2014202035.tif 000010
【図９】
2014202035.tif 000011
【図１０】
2014202035.tif 000012
【図１１】
2014202035.tif 000013
【図１２】
2014202035.tif 000014
【図１３】
2014202035.tif 000015
【図１４】
2014202035.tif 000016
【図１５】
2014202035.tif 000017
【図１６】
2014202035.tif 000018